(57)【特許請求の範囲】
【請求項１】
非磁性材料でなるペン型の筐体の先端に設けられたペン先部材を入力駆動信号磁界を発生する押し当て対象に押し当てることにより、内部に生成した電子伝送情報を得る電子ペンであって、
上記ペン先部材を上記押し当て対象に押し当てたとき上記ペン先部材と共に上記筐体内において中心軸線上を前方から後方に摺動する押圧シャフトと、
上記中心軸線上における上記押圧シャフトの後端面位置に配設された非磁性・良導電性金属材料でなる板状の押圧検出金属スライダと、
上記筐体の前端部における上記ペン先部材の後端面と上記押圧検出金属スライダの前端面との間の上記筐体の前端部分において、上記押圧シャフトを移動自在に貫通させるように配設された共振動作用コイルと、
上記共振動作用コイルと共に共振動作する共振動作用コンデンサと、
上記筐体内に設けられ、上記共振動作用コイルのインダクタンス値と上記共振動作用コンデンサの容量値とにより決まる共振周波数の共振電流を上記電子伝送情報として生起させて、当該共振電流を上記共振動作用コイルに流す共振回路と
を具え、
上記ペン先部材が上記押し当て対象に押し当てられたとき、当該ペン先部材の筆圧に応じて上記押圧検出金属スライダを上記共振動作用コイルの後端面から後方に離間するように移動させることによって上記共振動作用コイルのインダクタンス値を変更させることにより上記共振電流の上記共振周波数を上記筆圧に応じて変更する
ことを特徴とする電子ペン。
【請求項２】
上記筆圧に応じて変更された上記共振電流によって上記共振動作用コイルに流した共振電流によって発生させた筆圧検出磁界を、上記押し当て対象に返送する
ことを特徴とする請求項１に記載の電子ペン。
【請求項３】
上記押圧検出金属スライダの上記筆圧に応じた移動の仕方は、当該押し当て動作の開始初期時において、上記筆圧の変化に対して急峻なインダクタンス値の変化を生じさせる
ことを特徴とする請求項１に記載の電子ペン。
【請求項４】
上記押圧検出金属スライダは、上記急峻なインダクタンス値の変化を生じさせるように、上記押圧シャフトの移動を制御する特性を持つばね特性を有する押圧スプリングを上記押圧検出金属スライダの後面側に設けた
ことを特徴とする請求項３に記載の電子ペン。
【請求項５】
上記共振回路において生起される上記共振電流の共振周波数は、上記筆圧が最大のとき、最大になるように、上記共振動作用コイルのインダクタンス値及び上記共振動作用コンデンサの容量値が設定されている
ことを特徴とする請求項１に記載の電子ペン。
【請求項６】
上記共振回路において生起される上記共振電流の共振周波数は、上記筆圧が０であることを条件として設定されている
ことを特徴とする請求項１に記載の電子ペン。
【発明の詳細な説明】
【技術分野】
【０００１】
本発明は電子ペンに関し、特に筆圧に対応した電子情報を得るようにしたものである。
【背景技術】
【０００２】
タブレット表示板部を有する情報処理装置として、ユーザが電子ペンをタブレット表示板部に押し当てながら、当該タブレット表示板部との間で情報のやり取りをする情報入力手段を形成する手法のものがある。
【０００３】
従来、当該情報入力手段は、ペン先部材を押し当て対象であるタブレット表示板部に押し当てて情報のやり取りをする際に筆圧に変化が生じたとき、これに応答しながら情報の処理を行うことができるように、筆圧に応じて共振用コイルのインダクタンス値を変更することにより共振周波数を変化させる共振回路手段を電子ペン内に設けた構成のものが提案されている（特許文献１、２及び３参照）。
【０００４】
特許文献１の電子ペンは、共振回路手段のコイル内にペン先部材に設けられたフェライトチップを筆圧に応じて移動させることにより共振用コイルのインダクタンス値を変更する。
【０００５】
また特許文献２の電子ペンは、共振用コイルを巻回してなるフェライトコアの先端に、
ペン先部材と一体のフェライトチップを弾性部材でなる押圧リングを介して対接させ、フェライトチップが筆圧に応じて近づいたとき、共振用コイルのインダクタンス値を変更する。
【０００６】
さらに特許文献３の電子ペンは、共振用コイルを巻装させたフェライトコア本体の先端に対して弾性板を介してペン先部材と一体の検出用フェライトコアを当接させ、筆圧に応じて検出用フェライトコアをフェライトコア本体に近づけることにより、共振用コイルのインダクタンス値を変更する。
【先行技術文献】
【特許文献】
【０００７】
【特許文献１】特開昭６４−５３２２３
【特許文献２】特開２００２−２４４８０６
【特許文献３】特開２００６−１６３７９８
【発明の概要】
【発明が解決しようとする課題】
【０００８】
ところがこの種の従来の電子ペンは、共振用コイルに対してペン先部材と一体に移動するフェライト部材を設けることにより共振用コイルのインダクタンス値を変更するように構成されているために以下の不都合がある。
【０００９】
第１に、一般にフェライト部材は磁気特性のばらつきが大きく、これが電子ペンの筆圧特性のばらつきに直結する問題があった。
【００１０】
また第２に、フェライト部材は一般に外部から与えられる衝撃に対して脆い材質であるため、電子ペンに対して衝撃が与えられたとき、破損しないような構造上の配慮が不可欠で、そのため電子ペンを簡略・軽量化しにくい問題があった。
【００１１】
本発明は以上の点を考慮してなされたもので、共振用コイルのインダクタンス値を変更するにつき、磁気特性のばらつきの問題や、構造的脆弱性の問題を有効に解決することにより、実用性を向上させた電子ペンを提案するものである。
【課題を解決するための手段】
【００１２】
かかる課題を解決するため本発明においては、非磁性材料でなるペン型の筐体２の先端に設けられたペン先部材３を入力駆動信号磁界を発生する押し当て対象Ｑ１に押し当てることにより、内部に生成した電子伝送情報を得る電子ペン１であって、ペン先部材３を押し当て対象Ｑ１に押し当てたときペン先部材３と共に筐体２内において中心軸線Ｌ１上を前方から後方に摺動する押圧シャフト１２と、中心軸線Ｌ１上における押圧シャフト１２の後端面位置に配設された非磁性・良導電性金属材料でなる板状の押圧検出金属スライダ１６と、筐体２の先端部２Ａにおけるペン先部材３の後端面と押圧検出金属スライダ１６の前端面との間の筐体２の前端部分において、押圧シャフト１２を移動自在に貫通させるように配設された共振動作用コイル２１と、共振動作用コイル２１と共に共振動作する共振動作用コンデンサ２５−１〜２５−ｍと、筐体２内に設けられ、共振動作用コイル２１のインダクタンス値と共振動作用コンデンサ２５−１〜２５−ｍの容量値とにより決まる共振周波数の共振電流を電子伝送情報として生起させて、当該共振電流を共振動作用コイル２１に流す共振回路４０Ａとを具え、ペン先部材３が押し当て対象Ｑ１に押し当てられたとき、当該ペン先部材３の筆圧に応じて押圧検出金属スライダ１６を共振動作用コイル２１の後端面から後方に離間するように移動させることによって共振動作用コイル２１のインダクタンス値を変更させることにより共振電流の共振周波数を筆圧に応じて変更するようにする。
【発明の効果】
【００１３】
本発明によれば、ペン先部材が押し当て対象から受ける筆圧に応じて、共振動作用コイルのインダクタンス値を変更させるにつき、非磁性・良導電性金属材料で構成された板状の押圧検出金属スライダを共振動作用コイルの後端面位置に配設するようにしたことにより、筐体に対する外部からの衝撃によって筐体内部の部材に損傷を生じさせることがないような構造を工夫し易い実用性が大きい電子ペンを実現できる。
【図面の簡単な説明】
【００１４】
【図１】（Ａ）及び（Ｂ）は第１の実施の形態における電子ペンを示す斜視図及び情報処理システムを示す略線的ブロック図である。
【図２】電子ペンの詳細構成を示す部分的断面図である。
【図３】電気信号処理部を示す電気回路図である。
【図４】（Ａ）、（Ｂ）及び（Ｃ）は筆圧応動部を示す平面構造図、正面構造図及び左側面構造図である。
【図５】（Ａ）、（Ｂ）及び（Ｃ）は共振回路機構部の特性の説明に供する信号波形図である。
【図６】電子ペンの他の実施の形態を示す部分的断面図である。
【図７】電気信号処理部の他の実施の形態を示す電気回路図である。
【発明を実施するための形態】
【００１５】
以下図面について、本発明の一実施の形態を詳述する。
【００１６】
（１）第１の実施の形態
図１において、１は全体として電子ペンを示し、図１（Ａ）に示すように、例えば非磁性樹脂材料で構成されたペン型の筐体２の先端から同様に非磁性樹脂材料で構成されたペン先部材３を突出させた構成を有する。
【００１７】
電子ペン１は、図１（Ｂ）に示すように、ユーザが電子ペン１の筐体２を手に持ってペン先部材３を押し当て対象であるタブレット表示板部Ｑ１の表示面Ｑ５に押し当てることにより、表示面Ｑ５上のＸＹ座標位置を指定できるようにされている。
【００１８】
すなわち、電子ペン１は、タブレット表示板部Ｑ１が中央処理部Ｑ２との間に交換情報Ｑ３をやり取りすることにより、情報の処理を実行する情報処理システムＱ４において、ユーザがタブレット表示板部Ｑ１の表示面Ｑ５を押し当て対象として電子ペン１を押し当てたとき、表示面Ｑ５のＸＹ座標を表すＸ軸ループコイルＸ１、Ｘ２……ＸＮ及びＹ軸ループコイルＹ１、Ｙ２……ＹＭの交点位置によって決まるＸＹ座標位置を指定することにより、ユーザによるＸＹ座標指定情報をＸ軸制御部Ｑ６から交換情報Ｑ３として中央処理部Ｑ２に供給できるようになされている。
【００１９】
かくして中央処理部Ｑ２は、ユーザにより指定された座標位置と、電子ペン１の表示面Ｑ５に対する筆圧情報とを読み取って、ユーザの指定に応じた情報の処理を実行する。
【００２０】
電子ペン１のペン先部材３は、図２に示すように、筐体２の先端部２Ａの内部に配設された共振回路機構部１１に押圧シャフト１２を介して結合されている。
【００２１】
この実施の形態の場合、押圧シャフト１２は非磁性樹脂材料でなる断面円形の棒体でなり、筐体２の中心軸線Ｌ１に沿って、筐体２の先端に穿設された開口孔１３内に配設されたペン先端部材３の進退動作を共振回路機構部１１に伝達する。
【００２２】
筐体２は、中心軸線Ｌ１上に延長する円筒形状の外側ケース１４と、その内側に中心軸線Ｌ１上に同心的に設けられた円筒形状の内側ケース１５とで構成され、外側ケース１４の開口孔１３の後端側に連接するように設けられた隔壁１４Ａによって押圧シャフト１２を、前後方向に進退できるように、摺動自在に保持されている。
【００２３】
押圧シャフト１２の後端部は、例えばアルミニウム又は真鍮材料でなる非磁性・良導電性金属板材料によって構成された板状の押圧検出金属スライダ１６の嵌合孔１６Ａを貫通して合成樹脂材料でなる支持シャフト１７に結合されている。
【００２４】
支持シャフト１７の後端部は内側ケース１５に中心軸線Ｌ１に沿うように形成された案内孔１８に摺動自在に保持され、かくしてペン先部材３と、押圧シャフト１２と、押圧検出金属スライダ１６と、支持シャフト１７とが、電子ペン１の中心軸線Ｌ１上を一体として前後方向に移動できるようになされている。
【００２５】
外側ケース１４の隔壁１４Ａの後面と、内側ケース１５の前端面に設けられた円環状段部１５Ａとの間には、円筒形状の共振用動作コイル２１が押圧シャフト１２を貫通させるように固着されていると共に、押圧検出金属スライダ１６の後端面と、内側ケース１５の円環状段部１５Ａの後方位置に設けられた円環状後方段部１５Ｂとの間に押圧スプリング２２が設けられている。
【００２６】
この押圧スプリング２２は、押圧検出金属スライダ１６と、円環状後方段部１５Ｂとの間で圧縮動作することにより、押圧シャフト１２が後方に移動していないとき押圧検出金属スライダ１６の前端面が共振動作用コイル２１の後端面に対接した状態を維持するようになされている。
【００２７】
かくして、ペン先部材３が押し当て対象であるタブレット表示板部Ｑ１に押し当てられていないリセット状態にあるとき、押圧検出金属スライダ１６の前端面と共振動作用コイル２１の後端面との間の間隔が０（これをリセット間隔という）を維持する状態になっている。
【００２８】
この実施の形態の場合、共振回路機構部１１は、筐体２の外側ケース１４と内側ケース１５とによって筐体２に一体に固着された共振動作用コイル２１に対する筆圧応動部１１Ａとして、ペン先部材３と一体に摺動する押圧シャフト１２、押圧検出金属スライダ１６及び支持シャフト１７を有し、当該筆圧応動部１１Ａは、図４に示すように、押圧検出金属スライダ１６として、内側ケース１５の円筒状内径とほぼ同じ直径Ｒ１を有する円筒面部１６Ａと、側面から見たとき（図４（Ｃ））、円筒面１６Ａの上下側面を削り取ったと同様の切除面１６Ｂ１及び１６Ｂ２（対向距離Ｒ２）を形成し、これにより押圧検出金属スライダ１６の前端面と対向するように設けられた共振動作用コイル２１から導出されるインダクタンス導出線２１Ａ及び２１Ｂ（図３）を、押圧検出金属スライダ１６と干渉しないように、切除面１６Ｂ１及び１６Ｂ２の外側位置を通って、後方位置にある電気信号処理部４０に導出できるようになされている。
【００２９】
かくして共振回路機構部１１は筐体２の直径を小さくした場合にも、押圧検出金属スライダ１６の前面側及び後面側にある共振動作用コイル２１及び電気信号処理部４０との電気的接続を簡易にできるようになされている。
【００３０】
またこの実施の形態の場合の筆圧応動部１１Ａを含む共振回路機構部１１の特性は、図５（Ａ）〜（Ｃ）のように構成される。
【００３１】
図５（Ａ）に示すように、荷重Ｆ（すなわち筆圧）と筆圧応動部１１Ａの移動量δ（すなわち押圧スプリング２２のたわみ量）との関係は、荷重Ｆ（すなわち筆圧）が、正規化した値として、０、０．１、０．２……１まで変化する間における、たわみδ（すなわち筆圧応動部１１Ａの移動量）との関係は、たわみδが０、０．４、０．６５……１に変化するような特性に選定する。
【００３２】
また筆圧応動部１１Ａの移動量δ（すなわち押圧スプリング２２のたわみ量）と、共振動作用コイル２１のインダクタンス値Ｌとの関係を、図５（Ｂ）に示すように、移動量δが０、０．２、０．４……１まで変化する間に、共振動作用コイル２１のインダクタンス値Ｌを０．７、０．８４、０．９……１に変化するような特性に選定する。
【００３３】
このような特性を選定すると、荷重Ｆ（すなわち筆圧）とインダクタンス値Ｌとの関係は、図５（Ａ）の荷重Ｆ−たわみδの関係に、図５（Ｂ）の移動量δ−インダクタンス値Ｌ特性を当てはめれば、図５（Ｃ）に示すように、荷重Ｆ（すなわち筆圧）を０、０．１、０．２……１に変化する間に、インダクタンス値Ｌが０、０．３２、０．５４６……１になるような特性が実現できる。
【００３４】
ここで、荷重Ｆ／たわみδの特性（図５（Ａ））から見られるように、押圧スプリング２２は、筆圧Ｆが０から０．２に変化する間にたわみ量δが急峻に立ち上がるように、ばね特性が選定されている。
【００３５】
ここで共振動作用コイル２１のインダクタンス値Ｌの特性（図５（Ｂ））は、押圧検出金属スライダ１６が共振動作用コイル２１から離れるように移動量δが増加していけば、インダクタンス値Ｌが増大するような関係になるようにし、特に移動量δが０から０．２に変化するまでの間に急峻にインダクタンス値Ｌを立ち上げるようにする。
【００３６】
この結果図５（Ｃ）に示すように、荷重Ｆ（すなわち筆圧）によるインダクタンス値Ｌの変化は、荷重Ｆ（すなわち筆圧）が０から０．２まで変化する軽荷重の間に、インダクタンス値Ｌを急峻に立ち上げることができるような電子ペン１を実現する。
【００３７】
図５（Ｃ）に示すような急峻な立ち上がり特性を有する電子ペン１は、当該電子ペン１を押し当て対象であるタブレット表示板部Ｑ１に押し当て開始する際のいわゆる「ペンダウン特性」が高感度の特性を持つことができることを意味し、これにより電子ペン１の実用性を一段と高めることができる。
【００３８】
この実施の形態の場合、ペン先部材３に対して共振動作用コイル２１は、筐体２の外側ケース１４の隔壁１４Ａを間に挟んだだけの極く近い近接位置に固着されている。
【００３９】
かくして、ユーザが電子ペン１を押し当て対象であるタブレット表示板部Ｑ１に押し当てたとき、タブレット表示板部Ｑ１のＹ軸ループコイルＹ１、Ｙ２……ＹＭからの磁界結合によって入力駆動パルス磁界を受けて共振動作用コイル２１内に共振エネルギーを生起する際、並びに当該共振エネルギーを共振動作用コイル２１からＸ軸ループコイルＸ１、Ｘ２……ＸＮに磁界結合することにより筆圧検出磁界を返送する際に、押し当て対象のＹ軸ループコイルＹ１、Ｙ２……ＹＭ、並びにＸ軸ループコイルＸ１、Ｘ２……ＸＮにできるだけ近い位置において（従って極く簡略な構成によって）、確実に信号のやり取りを行うことができるようなされている。
【００４０】
この共振動作用コイル２１の後端面に近接する位置には、押圧検出金属スライダ１６及び支持シャフト１７並びに押圧スプリング２２が配設されていることにより、これらを含む共振回路機構部１１は電子ペン１の先端部２Ａにまとまるように配置されている。
【００４１】
以上の構成において、リセット状態では、押圧検出金属スライダ１６は、押圧スプリング２２からたわみ圧力を受けることがないため、押圧検出金属スライダ１６の前端面が共振動作用コイル２１の後端面に当接した状態のまま、内側ケース１５の円環状段部１５Ａの位置に位置決めされた状態になる。
【００４２】
このリセット状態において、ユーザが電子ペン１を手にしてペン先部材３を押し当て対象であるタブレット表示板部Ｑ１の表示面Ｑ５に押し当てることにより、ペン先部材３が後方に移動したとき、押圧検出金属スライダ１６は押圧シャフト１２によって後方に移動することによりその後端面によって押圧スプリング２２を圧縮して行き、これにより押圧検出金属スライダ１６の前端面の位置が円環状段部１５Ａに位置決めされたリセット状態から後方に移動して行くことにより、当該移動量の分だけ押圧検出金属スライダ１６の前端面と共振動作用コイル２１の後端面との間の間隔が広がって行く。
【００４３】
このとき、電気回路要素として機能する共振動作用コイル２１と非磁性体金属材料でなる押圧検出金属スライダ１６との関係を考えると、円筒形状の共振動作用コイル２１の中心軸方向からほぼ同じ直径を有する円板状の非磁性体金属材料でなる押圧検出金属スライダ１６を接触ないし近接させた状態になるので、当該押圧検出金属スライダ１６が共振動作用コイル２１に対して２次コイルを設けたと等価な動作をし、これにより、共振動作用コイル２１のインダクタンス値ＬやＱ値を押圧検出金属スライダ１６の近接距離の変更状態に応じて変更させるような現象が生じ、その結果共振動作用コイル２１が本来持っているインダクタンス値ＬやＱ値が、押圧検出金属スライダ１６を近接又は接触させたことにより低下させる現象が生ずる。
【００４４】
このときの共振動作用コイル２１のインダクタンス値ＬやＱ値の変更量は、共振動作用コイル２１の後端面と押圧検出金属スライダ１６の前端面との間の離間距離に応じて変化する。
【００４５】
この実施の形態の場合、当該共振動作用コイル２１のインダクタンス値ＬやＱ値の変化は、図３に示すように、共振動作用コイル２１の両端に接続されたインダクタンス導出線２１Ａ及び２１Ｂが電子ペン１の筐体２の後端部２Ｂに設けた電気信号処理部４０に接続されていることにより、電気信号の変化として処理される。
【００４６】
図３の電気信号処理部４０は、電子ペン１のペン先部材３を押し当て対象であるタブレット表示板部Ｑ１（図１）に押し当てたとき、入力駆動期間の間Ｙ軸制御部Ｑ７から順次Ｙ軸ループコイルＹ１、Ｙ２……ＹＭに与えられている入力駆動パルス信号に基づいて当該入力駆動パルス信号の繰返し周波数の磁界がタブレット表示板部Ｑ１から送出され、当該タブレット表示板部Ｑ１の押し当て位置近傍のＹ軸ループコイルＹ１、Ｙ２……ＹＭからの磁界が共振動作用コイル２１に差交することにより共振動作用コイル２１が共振エネルギーを得てインダクタンス導出線２１Ａ及び２１Ｂを介して共振動作用コンデンサ２５−１、２５−２……２５−ｍに並列に接続された共振回路４０Ａに共振電流を流す。
【００４７】
このとき共振回路４０Ａに流れる共振電流は、共振動作用コイル２１のインダクタンス値Ｌと共振動作用コンデンサ２５−１〜２５−６の合成容量値とによって決まる共振周波数を有する共振エネルギーとして蓄積され、当該共振エネルギーは共振動作用コイル２１から当該共振周波数の磁界として押し当て対象であるタブレット表示板部Ｑ１の押し当て位置近傍のＸ軸ループコイルＸ１、Ｘ２…ＸＮに送り返される。
【００４８】
かくしてタブレット表示板部Ｑ１は電子ペン１から送り返されてくる共振エネルギーを交換情報Ｑ３として中央処理部Ｑ２に送り込むことにより、送り返されてきた共振エネルギーに含まれている、電子ペン１によって指定された指定位置情報と、筆圧情報とを、誘導電圧の変化として、取り出すことができる。
【００４９】
この実施の形態の場合、共振回路４０Ａを構成する共振動作用コンデンサ２５−１〜２５−ｍとして、筆圧が０のリセット状態における共振回路４０Ａの共振周波数を決めるため複数の固定コンデンサ及び可変コンデンサが用意されており、筐体２内の電気回路要素の構造部分に対応する容量値が設定されている。
【００５０】
このようにして取り込まれた誘導電圧は、電子ペン１が押し当て対象であるタブレット表示板部Ｑ１に押し当てられた座標位置において最も出力電圧値が大きくなるので、中央処理部Ｑ２は電子ペン１の押し当て座標値を補間演算により求めることができる。
【００５１】
ところが、このとき電子ペン１の共振回路４０Ａにおいて発生される共振電流は、共振動作用コンデンサ２５−１〜２５−６の容量値が固定であるのに対して、共振動作用コイル２１のインダクタンス値Ｌが押し当て対象に対するペン先部材３の筆圧に応じて変化することにより、共振周波数が当該筆圧に対応した値に変化する。
【００５２】
この共振回路４０Ａの共振周波数の変化は、タブレット表示板部Ｑ１のＹ軸制御部Ｑ７から与えられる入力駆動パルス信号の周波数を若干変更させることにより、Ｘ軸制御部Ｑ６を介して中央処理部Ｑ２に取り込まれる誘導電圧の位相が、電子ペン１の共振回路４０Ａの共振周波数がペン先部材３に対する筆圧の変化に対応する分だけ位相ずれするように変化し、この変化が筆圧検出情報として中央処理部Ｑ２に取り込まれることになる。
【００５３】
この実施の形態の場合、電子ペン１の共振回路４０Ａの共振周波数は、ペン先部材３がタブレット表示板部Ｑ１に押し当てられていないリセット状態において、Ｙ軸ループコイルＹ１、Ｙ２……ＹＭから与えられる入力駆動パルス信号の周波数と一致する周波数にあらかじめ選定されている。
【００５４】
従って中央処理部Ｑ２は電子ペン１がタブレット表示板部Ｑ１に押し当てられていないリセット状態のとき、Ｙ軸制御部Ｑ７から与えられる入力駆動パルス信号の周波数の誘導電圧が得られることにより電子ペン１によって指定された座標位置を検出すると同時に、電子ペン１の共振回路４０Ａの共振周波数が入力駆動パルス信号の周波数と一致することによりその位相ずれを発生させない状態になり、これにより筆圧が０であるリセット状態を中央処理部Ｑ２が判定することができる。
【００５５】
これに対して、電子ペン１のペン先部材３がタブレット表示板部Ｑ１に押し当てられて、電子ペン１の中心軸線Ｌ１上において筐体２内に押し込まれていくと、押圧シャフト１２を介して押圧検出金属スライダ１６が後方に移動することにより、押圧検出金属スライダ１６の前端面と共振動作用コイル２１の後端面との間の距離が、接触しているリセット位置から広がることにより、共振回路４０Ａにおいて共振動作用コイル２１のインダクタンス値Ｌが低下し、その結果共振回路４０Ａの共振周波数が変化する。
【００５６】
この電子ペン１の共振回路４０Ａの共振周波数の変化は、入力駆動パルス信号に対する
位相の変化として、中央処理部Ｑ２が検出することにより、当該位相の変化に対応する筆圧値を中央処理部Ｑ２が取得することができることになる。
【００５７】
以上の構成によれば、電子ペン１の共振回路４０Ａにおいて共振動作用コイル２１のインダクタンス値Ｌがペン先部材３に対する筆圧に対応するように変化することにより、電子ペン１のタブレット表示板部Ｑ１に対する筆圧を検出することができる。
【００５８】
かくするにつき、筆圧に対応する検出出力を得るために用いられる要素である押圧検出金属スライダ１６を、非磁性・良導電性金属材料の板状材料で構成したことにより、金属材料として、外部からの衝撃に対して強く、しかもペン形状の筐体内の部材として加工し易い電子ペンを実現できる。
【００５９】
（２）非磁性・良導電性金属材料を利用した筆圧検出構造
第１の実施の形態の場合、ペン先部材３が押し当て対象としてのタブレット表示板部Ｑ１に対する筆圧を検出する共振回路機構部１１として、アルミニウムや真鍮といった非磁性・良導電性・板状の非磁性体材料を用いることにより、従来の場合のようにフェライト素材を用いずに、電子ペン１の共振周波数を変更する構成を以下の確認事項に基づいて採用している。
【００６０】
（２−１）この実施の形態のように、共振動作用コイル２１のインダクタンス値Ｌを変更するために金属材料でなる素材を接触又は近接させると、原理的に共振エネルギーを損失させる要素となって、当該共振動作用コイル２１の共振周波数を決めるインダクタンス値や、当該共振系の感度を表す量であるＱ値を低下させることから、『一般には共振動作を制御する部材としては不向きである』と考えられ、従来の電子ペンでは、当該金属材料を用いることはなく、フェライト部材が使用されている。
【００６１】
（２−２）これに対して上述の実施の形態においては、円筒形状の共振動作用コイル２１の後端面にほぼ同じ大きさの外径形状の非磁性体・良導体金属板でなる押圧検出金属スライダ１６を中心軸方向から接触ないし近接させ、これにより当該非磁性体金属板を二次コイルとして作用させて共振動作用コイルのインピーダンス値とＱ値を低下させることにより共振動作用コイルの共振周波数を変更させるような特性を生じさせるように工夫している。
【００６２】
当該金属板が従来のように、磁性体材料であるフェライトチップで形成されている場合は、筆圧検出特性の変化の仕方が扱う周波数によって一様ではなく、インダクタンス値が低下するばかりではなく増加するような場合もあるので、この実施の形態においては採用していない。
【００６３】
（２−３）押圧検出金属スライダ１６としては、上述のアルミニウムや真鍮のように、非磁性体であり、かつ導電性が高い材質のものを用いる。
【００６４】
（２−４）押圧検出金属スライダ１６としては外径が大きいほどペン先部材３に対する荷重（すなわち筆圧）に対する共振動作用コイル２１のインダクタンス値Ｌの変化が大きくなるが、実用上押圧検出金属スライダ１６の大きさは、共振動作用コイル２１の外径形状から８割程度の大きさまで、適正がある。
【００６５】
（２−５）押圧検出金属スライダ１６の厚みは、筆圧に対するインダクタンス値Ｌの変化特性に対する影響が、導電性が低下する程度の厚み（例えば０．１［ｍｍ］以下）になるまでは生じないので、０．１［ｍｍ］までは適用できる。
【００６６】
これに対して押圧検出金属スライダ１６の厚みを増加しても荷重Ｆ（すなわち筆圧）と共振動作用コイル２１のインダクタンス値特性に対する変化はほとんどない。
【００６７】
（２−６）上記（２−１）〜（２−５）の条件によれば、筆圧の変化に対する共振動作用コイル２１のインピーダンス値Ｌの低下は、押圧検出金属スライダ１６の位置及び寸法範囲では十分な変化を得ることができ、また共振動作用コイル２１のＱ値の低下（従って感度の低下）は、押圧検出金属スライダ１６の位置及び寸法範囲では、使用可能な程度の低下にとどまっていることが確認できる。
【００６８】
かくして結果的には、情報処理システムＱ４において共振動作用コイル２１のインダクタンス値Ｌの変化は、押圧検出金属スライダ１６の位置と、大きさの範囲において実用上十分な変化を得ることができる。
【００６９】
かくして結果的には、全体として電子ペン１の押し当て対象となるタブレット表示板部Ｑ１に対する押し当て強さ（すなわち筆圧）に基づいてタブレット表示板部Ｑ１のＸ軸ループコイルＸ１、Ｘ２……ＸＮから得られる交換情報Ｑ３として、中央処理部Ｑ２が判断できる信号レベルの変動が多少は小さくなっても実用上充分な筆圧検出効果を得ることができることを確認できた。
【００７０】
（２−７）よって、押圧検出金属スライダ１６としては、一般的に得られる０．５［ｍｍ］程度の薄型の金属材料を適用する（板状製品であっても、固形製品を切削したものであっても良い）ことよって電子ペン１の共振回路機構部１１を実現することができる。
【００７１】
（３）他の実施の形態
（３−１）図６は電子ペン１の他の実施の形態を示すもので、図２との対応部分に同一符号を付して示すように、共振回路機構部１１を構成する筆圧応動部１１Ａの押圧スプリング２２がばね定数が互いに異なる２つの押圧スプリング部材２２Ａ及び２２Ｂによって構成されている。
【００７２】
この実施の形態の場合、押圧検出金属スライダ１６に対接する前部の押圧スプリング部材２２Ａは、線径が小さいコイルスプリングで構成されているためばね定数が小さいので、ペン先部材３が押し当て対象であるタブレット表示板部Ｑ１によって後方に荷重を受けたとき、荷重Ｆ（すなわち筆圧）が小さい範囲において主として押圧スプリング部材２２Ａがたわみ動作することにより、荷重Ｆ（筆圧）の変化に対してたわみδを急峻に変化させるようなばね特性を呈することができ（図５（Ａ）のように）、これに対して荷重Ｆ（筆圧）が大きくなったとき、主としてばね定数が大きな押圧スプリング部材２２Ｂがたわみ動作することにより、筆圧の変化に対してたわみδをゆっくりと変化させるようなばね特性を呈することになる。
【００７３】
かくして図６の構成によれば、荷重Ｆ（すなわち筆圧）の変化に対する共振動作用コイル２１のインダクタンス値Ｌの変化を、図５（Ｃ）ついて上述したように、電子ペン１に対して予め予定したペンダウン特性を容易に実現できる。
【００７４】
図６の場合の電子ペン１は、筆圧が最大のときに共振回路機構部１１の共振周波数が最小になる（このとき共振動作用コイル２１のインダクタンス値Ｌが最大になる）と共に、共振動作用コイル２１のＱ値が最大になるように設定されている。
【００７５】
かくして電子ペン１の共振周波数をタブレット表示板部Ｑ１から生起される磁界の入力駆動パルス信号の周波数に対して、若干低い周波数で筆圧が最大になるように設定することにより、電子ペン１として適切な筆圧範囲の筆圧変化を検出できることを確認できた。
【００７６】
図６の実施の形態の場合、共振動作用コイル２１は非磁性合成樹脂材料でなる筒状のコイルコア２１Ｃ上に巻装されていると共に、コイルコア２１Ｃの後方端面に押圧検出金属スライダ１６の前端面が押圧スプリング２２の弾発力によって当接した状態になるようになされ、これによりペン先部材３に対する筆圧が０のリセット動作時、押圧検出金属スライダ１６の前端面は共振動作用コイル２１の後端面に接触せずに、コイルコア２１の突出距離だけ離間した位置に近接した状態になっている。
【００７７】
（３−２）図７は電気信号処理部４０の他の実施の形態を示すもので、図３との対応部分に同一符号を付して示すように、共振回路４０Ａの共振動作用コンデンサ２５−１〜２５−ｍの終端位置に共振周波数切換回路４０Ｂを接続する。
【００７８】
共振周波数切換回路４０Ｂは固定コンデンサ５１Ａ及び半固定コンデンサ５１Ｂの並列回路を、切換スイッチ５２を介して共振回路４０Ａに接続する構成を有する。
【００７９】
かくして切換スイッチ５２をオン動作させれば、共振回路４０Ａにおいて共振動作用コイル２１のインダクタンス値Ｌと共振動作用コンデンサ２５−１〜２５−ｍの容量値によって決まる共振周波数を、固定コンデンサ５１Ａ及び半固定コンデンサ５１Ｂの容量値を含めた共振周波数に変更することができ、かくして電子ペン１として用途に応じて適正な共振周波数を選定できる電子ペン１を実現できる。
【００８０】
（３−３）図６の電子ペン１においては、押圧検出金属スライダ１６を共振動作用コイル２１のコイルコア２１Ｃに対接させるように構成したが、これに代えコイルコア２１Ｃの後端面と押圧検出金属スライダ１６との間に例えば０．１［ｍｍ］程度のフィルムや発泡材を挿入しても良く、これにより電子ペン１の内部構造として、例え外部から電子ペン１に対して衝撃が与えられたとしてもこれを有効に吸収できるような電子ペンを実現できる。
【００８１】
（３−４）図３の電気信号処理部４０において、共振回路４０Ａの共振周波数をペン先部材３に対する筆圧が０の状態において共振回路４０Ａの共振周波数を設定する。
【００８２】
このようにした場合、電子ペン１に筆圧が与えられたとき、これに応じて共振動作用コイル２１のインダクタンス値が変化して共振回路４０Ａの共振周波数が変化することにより当該筆圧を中央処理部Ｑ２において検出できるが、このとき筆圧０のときの共振周波数を共振回路４０Ａにおいて設定したことにより中央処理部Ｑ２に受け渡される信号レベルの変動が少なくなることにより中央処理部Ｑ２における筆圧の検出精度が高い状態に維持できる。
【００８３】
因みに一般的に図３の構成の共振回路４０Ａを用いる場合タブレット表示板部Ｑ１における入力駆動パルス信号の周波数が固定されているため、共振動作コイル２１のインダクタンス値Ｌが筆圧の変化に応じて変化すると、その共振周波数はタブレット表示板部Ｑ１の入力駆動パルス信号の周波数からずれるために、電子ペン１から中央処理部Ｑ２に与えられる検出信号のレベルが変動することになる。
【００８４】
しかしながら共振回路４０Ａの共振周波数を筆圧０の状態で設定すれば、筆圧が０から変動したときの信号レベルの変動を少なくすることができる。
【００８５】
（３−５）上述の実施の形態においては、押圧検出金属スライダ１６をアルミニウム又は真鍮材料によって構成した場合について述べたが、これに代え、（３−５−１）非磁性体金属として、銅、アルミニウム、金、銀、亜鉛、錫、鉛、マグネシウム、チタン、（３−５−２）金属の合金として、真鍮、青銅、半田、ニクロム（登録商標）、上記金属細線（フィラ）を配合した導電性樹脂、導電性接着剤、（３−５−３）炭素系の導電材料として、グラファイト（板、シート）、（３−５−４）上記導電材料を塗布・コーディング等した材料として、導電性樹脂、導電性フィルム、導電性高分子材料・導電性ポリマーといった材料を用いるようにしても良い。
【産業上の利用可能性】
【００８６】
本発明による電子ペンは押し当て対象面に電子ペンを押し当てる際の筆圧を検出する場合に利用できる。
【符号の説明】
【００８７】
１……電子ペン、２……筐体、３……ペン先部材、１１……共振回路機構部、１１Ａ……筆圧応動部、１２……押圧シャフト、１３……開口孔、１４……外側ケース、１４Ａ……隔壁、１５……内側ケース、１５Ａ……円環状段部、１６……押圧検出金属スライダ、１６Ａ……嵌合孔、１７……支持シャフト、１５Ｂ……円環状後方段部、４０……電気信号処理部、４０Ａ……共振回路、４０Ｂ……共振周波数切換回路、Ｑ１……タブレット表示板部、Ｑ２……中央処理部、Ｑ３……交換情報、Ｑ４……情報処理システム、Ｑ５……表示面、Ｑ６……Ｘ軸制御部、Ｑ７……Ｙ軸制御部、Ｘ１〜ＸＮ……Ｘ軸ループコイル、Ｙ１〜ＹＭ……Ｙ軸ループコイル
【要約】
筆圧に対応したペン出力を得るものである。
ペン先部材３が押し当て対象Ｑ１から受ける筆圧に応じて、共振動作用コイル２１のインダクタンス値Ｌを変更させるにつき、非磁性・良導電性金属材料で構成された板状の押圧検出金属スライダ１６を共振動作用コイル２１の後端面位置に配設するようにしたことにより、筐体２に対する外部からの衝撃によって筐体２内部の部材に損傷を生じさせることがないような構造を工夫し易い実用性が大きい電子ペン１を実現できる。【図１】
0005756892.tif 000002
【図２】
0005756892.tif 000003
【図３】
0005756892.tif 000004
【図４】
0005756892.tif 000005
【図５】
0005756892.tif 000006
【図６】
0005756892.tif 000007
【図７】
0005756892.tif 000008